(57)【要約】【課題】  知的障害分野における個別支援計画を作成する個別支援計画システム及び方法の提供。【解決手段】  利用者の行動項目であるアセスメント項目を格納するアセスメント項目テーブル１１と、該テーブル１１に格納したアセスメント項目毎に入力された複数の支援レベルを格納するアセスメントテーブル１２と、アセスメント項目に対応した支援レベル毎の課題例を格納するアセスメント項目課題例テーブル１３と、該テーブル１３に格納した支援レベル毎の課題例に対応したキーワードを格納する課題例キーワードテーブル１４と、利用者毎の個別支援計画を格納する個別支援計画テーブル１５を設け、アセスメント項目毎に入力された支援レベルに対応したアセスメント項目毎の課題例に対応したキーワードを課題例キーワードテーブル１４から読み出して表示し、表示したキーワードを参照して入力された個別支援計画を個別支援計画テーブルに格納するもの。【選択図】  図１
2006313405.tif 000002
【特許請求の範囲】
【請求項１】
知的障害分野において利用者に対する個別支援計画書を作成する個別支援計画書作成システムであって、利用者の行動項目であるアセスメント項目を格納するアセスメント項目テーブルと、該アセスメント項目テーブルに格納したアセスメント項目毎に入力された複数の支援レベルを格納するアセスメントテーブルと、アセスメント項目に対応した支援レベル毎の課題例を格納するアセスメント項目課題例テーブルと、該アセスメント項目課題例テーブルに格納した前記支援レベル毎の課題例に対応したキーワードを格納する課題例キーワードテーブルと、利用者毎の個別支援計画を格納する個別支援計画テーブルを備え、
前記アセスメント項目テーブルに格納したアセスメント項目毎に入力された支援レベルをアセスメントテーブルに格納し、該アセスメントテーブルに格納した支援レベルに対応したアセスメント項目毎の課題例に対応した支援レベル毎のキーワードを課題例キーワードテーブルから読み出して表示し、該表示されたキーワードを基に入力された個別支援計画を個別支援計画テーブルに格納することを特徴とする個別支援計画書作成システム。
【請求項２】
前記個別支援計画テーブルに格納した個別支援計画の計画実施期間と、前記個別支援計画のモニタリング期間とを任意に設定し、計画実施期間終了日がシステム日付を越えたとき、又は計画実施期間の作成日とモニタリング期間とを加算した日数がシステム日付を超えたとき、又はモニタリング作成日と次回のモニタニング期間を加算した日数がシステム日付を越えたとき、個別支援計画の実施時期のアラームを表示することを特徴とする請求項１記載の個別支援計画書作成システム。
【請求項３】
知的障害分野において利用者に対する個別支援計画書を作成する個別支援計画書作成方法であって、利用者の行動項目であるアセスメント項目を格納するアセスメント項目テーブルと、該アセスメント項目テーブルに格納したアセスメント項目毎に入力された複数の支援レベルを格納するアセスメントテーブルと、アセスメント項目に対応した支援レベル毎の課題例を格納するアセスメント項目課題例テーブルと、該アセスメント項目課題例テーブルに格納した前記支援レベル毎の課題例に対応したキーワードを格納する課題例キーワードテーブルと、利用者毎の個別の支援計画を格納する個別支援計画テーブルを設け、
前記アセスメント項目テーブルに格納したアセスメント項目毎に入力された支援レベルをアセスメントテーブルに格納し、該アセスメントテーブルに格納した支援レベルに対応したアセスメント項目毎の課題例に対応した支援レベル毎のキーワードを課題例キーワードテーブルから読み出して表示し、該表示されたキーワードを基に入力された個別支援計画テーブルに格納することを特徴とする個別支援計画書作成方法。
【請求項４】
前記個別支援計画テーブルに格納した個別支援計画の計画実施期間と、前記個別支援計画のモニタリング期間とを任意に設け、計画実施期間終了日がシステム日付を越えたとき、又は計画実施期間の作成日とモニタリング期間とを加算した日数がシステム日付を超えたとき、又はモニタリング作成日と次回のモニタニング期間を加算した日数がシステム日付を越えたとき、個別支援計画の実施時期のアラームを表示することを特徴とする請求項１記載の個別支援計画書作成方法。
【発明の詳細な説明】
【技術分野】
【０００１】
本発明は、知的障害分野において利用者に適切な支援を行うための個別支援計画を作成することができる個別支援計画書作成システム及び個別支援計画書作成方法に係り、特にアセスメント結果から個別支援計画作成を行うのに好適な個別支援計画作成システム及び方法に関する。
【背景技術】
【０００２】
障害者福祉制度は、２００３年４月より「措置制度」から「支援費制度」へと移行し、支援サービス提供者は、利用者に対しての個別支援計画の作成が義務付けられた。この個別支援計画は、ケアマネジメントプロセスと呼ばれる、アセスメントと個別支援計画とモニタリングを含む流れの一部である。前記アセスメントとは、利用者の情報（状況）を様々な角度から広く把握するためのプロセスかつ手段のことであり、アセスメント項目とは、利用者情報を基にした利用者が生活を行う上で必要な項目、具体的に説明すると例えば、洗面／衣類の着脱／入浴／洗濯／食事の準備／掃除等の多数の行動項目である。
【０００３】
前記個別支援計画とは、前述したアセスメントの結果より得られた支援ニーズを基に、個別支援計画書を作成することであり、サービス提供者は、この個別支援計画書に則して支援を行うものである。前記モニタリングとは、個別支援計画に基づいた支援の実施状況や利用者の変化等を確認し、個別支援計画の検証を行うものである。このケアマネジメントプロセスにおいて、支援の実施状況や利用者自身の変化等により、定期的にアセスメントや個別支援計画の再実施、見直し等が行われる必要がある。また、個別支援計画の作成においては、アセスメント結果を個別支援計画に十分に反映させ、障害者の障害の程度に応じた個別支援計画を効率良く作成する必要がある。
【０００４】
このような介護サービスのプランニングに関する技術が記載された文献としては、例えば下記特許文献が挙げられる。この特許文献には、選択されたアセスメント項目の選択パターンによって、ニーズ項目が抽出されることにより、利用者のニーズに基づいたケアプランを生成することが記載されている。
【特許文献１】特開２００１−１０１２７９号公報
【発明の開示】
【発明が解決しようとする課題】
【０００５】
前述の特許文献に記載された技術は、選択されたアセスメント項目に対応するニーズ項目の全てを抽出するため、知的障害分野においては、障害の程度が重度である利用者のアセスメントを行った場合、ほとんどのアセスメント項目が選択（支援が必要である）される可能性があり、この場合、ほとんどの課題（ニーズ）項目が抽出されてしまい、課題（ニーズ）を設定する際に更に課題（ニーズ）の取捨選択を行う必要が生じ、個別支援計画作成作業を軽減することができず、障害者の障害の程度に応じた客観的な個別支援計画の作成が困難であると言う不具合があった。
【０００６】
即ち、従来技術は、アセスメント結果から得られた支援ニーズを個別支援計画に十分に反映させる際、利用者に真に必要とされている課題のみを設定できないと言う不具合があった。また、知的障害分野においては、自ら訴えることが困難な人達が多い為、支援サービス提供者が、定期的に利用者の状態を把握できる仕組みを提供することが困難であると言う不具合もあった。
【０００７】
本発明の目的は、前述の従来技術による不具合を除去することであり、個別支援計画を作成する支援担当職員の力量や経験年数によって左右されない客観的な個別支援計画を作成でき、更にアセスメントから個別支援計画やモニタリングまでの一連のプロセスが漏れなく適切な時期に行うことができる個別支援計画システム及び方法を提供することである。更に本発明は、サービス提供者が利用者の最新のニーズを把握できる個別支援計画システム及び方法を提供することである。
【課題を解決するための手段】
【０００８】
上記の目的を達成するため本発明は、知的障害分野において利用者に対する個別支援計画書を作成する個別支援計画書作成システムにおいて、利用者の行動項目であるアセスメント項目を格納するアセスメント項目テーブルと、該アセスメント項目テーブルに格納したアセスメント項目毎に入力された複数の支援レベルを格納するアセスメントテーブルと、アセスメント項目に対応した支援レベル毎の課題例を格納するアセスメント項目課題例テーブルと、該アセスメント項目課題例テーブルに格納した前記支援レベル毎の課題例に対応したキーワードを格納する課題例キーワードテーブルと、利用者毎の個別支援計画を格納する個別支援計画テーブルを設け、前記アセスメント項目テーブルに格納したアセスメント項目毎に入力された支援レベルをアセスメントテーブルに格納し、該アセスメントテーブルに格納した支援レベルに対応したアセスメント項目毎の課題例に対応した支援レベル毎のキーワードを課題例キーワードテーブルから読み出して表示し、該表示されたキーワードを基に入力された個別支援計画を個別支援計画テーブルに格納することを第１の特徴とし、該個別支援計画書作成システムにおいて、前記個別支援計画テーブルに格納した個別支援計画の計画実施期間と、前記個別支援計画のモニタリング期間とを任意に設定し、計画実施期間終了日がシステム日付を越えたとき、又は計画実施期間の作成日とモニタリング期間とを加算した日数がシステム日付を超えたとき、又はモニタリング作成日と次回のモニタニング期間を加算した日数がシステム日付を越えたとき、個別支援計画の実施時期のアラームを表示することを第２の特徴とする。
【０００９】
また本発明は、知的障害分野において利用者に対する個別支援計画書を作成する個別支援計画書作成方法において、利用者の行動項目であるアセスメント項目を格納するアセスメント項目テーブルと、該アセスメント項目テーブルに格納したアセスメント項目毎に入力された複数の支援レベルを格納するアセスメントテーブルと、アセスメント項目に対応した支援レベル毎の課題例を格納するアセスメント項目課題例テーブルと、該アセスメント項目課題例テーブルに格納した前記支援レベル毎の課題例に対応したキーワードを格納する課題例キーワードテーブルと、利用者毎の個別の支援計画を格納する個別支援計画テーブルを設け、前記アセスメント項目テーブルに格納したアセスメント項目毎に入力された支援レベルをアセスメントテーブルに格納し、該アセスメントテーブルに格納した支援レベルに対応したアセスメント項目毎の課題例に対応した支援レベル毎のキーワードを課題例キーワードテーブルから読み出して表示し、該表示されたキーワードを基に入力された個別支援計画テーブルに格納することを第３の特徴とし、該個別支援計画書作成方法において、前記個別支援計画テーブルに格納した個別支援計画の計画実施期間と、前記個別支援計画のモニタリング期間とを任意に設け、計画実施期間終了日がシステム日付を越えたとき、又は計画実施期間の作成日とモニタリング期間とを加算した日数がシステム日付を超えたとき、又はモニタリング作成日と次回のモニタニング期間を加算した日数がシステム日付を越えたとき、個別支援計画の実施時期のアラームを表示することを第４の特徴とする。
【発明の効果】
【００１０】
本発明によれば、アセスメント項目に対する複数の支援レベルを設定し、該支援レベルに対応した課題項目のキーワードを支援計画書作成者に表示することによって、アセスメントに基づいた個別支援計画の作成を容易にし、且つ客観的に行うことができる。また、個別支援計画の計画実施期間と前記個別支援計画のモニタリング期間とを任意に設定しておき、これら期間とシステム日付とを比較して個別支援計画の実施時期のアラームを表示することによって、アセスメントからモニタリングまでの各プロセスを適切な時期に行うことができ、事務作業の軽減やサービスの向上を図ることができる。
【発明を実施するための最良の形態】
【００１１】
以下に、本発明の一実施形態による個別支援計画書作成システム及び個別支援計画書作成方法を図面を参照して詳細に説明する。図１は、本実施形態による個別支援計画書作成方法を適用した個別支援計画書作成システムの全体構成を示す図、図２は本実施形態によるアセスメントから個別支援計画を作成するまでの流れを示す図、図３はアセスメントシート画面例を示す図、図４は支援課題設定画面例（課題設定前）を示す図、図５は支援課題設定画面例（課題設定後）を示す図、図６は個別支援計画画面例を示す図、図７は個別支援計画書プレビュー画面例を示す図、図８はアセスメント項目と課題例を対応づけたアセスメント項目−課題例データを示す図、図９はキーワードと課題例を対応づけたキーワード−課題例データを示す図、図１０はケアマネジメントプロセスにおける利用者毎の実施状況を表示するまでの流れを示す図、図１１は利用者状況一覧画面例を示す図、図１２は４モニタニング画面例を示す図である。
【００１２】
図１に示す個別支援計画システムは、キーボードやマウス等のポインティングデバイスを含む入力部１と、入力データのモニタや各種データを出力する出力部２と、システム全体を統括的に制御するＣＰＵ３と、ＯＳ等を含むプログラムを内蔵するプログラム部４と、個別支援計画に使用される各種データを格納するデータ部５とを備えるコンピュータ０により構成される。前記プログラム部４は、アセスメント実施プログラム６と、支援課題抽出プログラム７と、個別支援計画プログラム８と、モニタリングプログラム９と、利用者状況表示プログラム１０とから構成される。
【００１３】
前記データ部５は、アセスメント項目データ（利用者の行動項目）を格納するアセスメント項目テーブル１１と、該アセスメント項目毎の支援レベルを入力したアセスメント評価データを記憶するアセスメントテーブル１２と、前記アセスメント項目と課題例を対応づけて格納するアセスメント項目課題例テーブル１３と、キーワードと課題例を対応づけて格納する課題例キーワードテーブル１４と、操作者が作成した個別支援計画データを記憶する個別支援計画テーブル１５と、モニタリングデータを記憶するモニタリングテーブル１６とを備える。
【００１４】
前記アセスメント項目テーブル１１は、利用者の状態を示す複数のアセスメント項目（行動項目）を格納し、このアセスメント項目は、内容に応じて、「基本的生活習慣」「社会スキル」「生活スキル」「社会参加」「コミュニケーションと対人関係」の５つの領域（ここではアセスメント領域と呼ぶ）と呼ばれる上位概念に大別される。
【００１５】
前記個別支援計画テーブル１５は、課題と該課題に対する支援目標や支援内容が格納されており、各データは、次の５つの領域（ここでは計画領域と呼ぶ）に分類されて格納され、１つめがアセスメント領域と同様の「基本的生活習慣」、２つめがアセスメント領域の「社会スキル」「生活スキル」「社会参加」を統合した「社会的生活・活動」、３つめがアセスメント領域と同様の「コミュニケーションと対人関係」、特に本実施形態においては前記３つの計画領域に「病気」「問題行動」の２つの計画領域を加えた５つの領域毎に課題及び支援目標や支援内容を設定する。
【００１６】
図２は、本実施例におけるアセスメントから個別支援計画を作成するまでの流れを示すフローチャートである。本処理は、まずアセスメント項目テーブル１１からアセスメント項目を読み出して図３の如くアセスメント画面に表示し、支援担当職員が該アセスメント画面から全てのアセスメント項目に対してアセスメント項目毎に１から５までの支援レベルを選択し（ステップ１０１）、アセスメントテーブル１２に格納する。例えば、「自分の衣類を、たたんで分類・整理するなど、管理ができますか」というアセスメント項目に対して、「１．全くできない（全面的な援助が必要）」、「２．ほとんどできない（多くの面で援助が必要）」、「３．一部できる（一部援助が必要）」、「４．ほぼできる（配慮が必要）」、「５．できる」の５段階のいずれかの支援レベルを選択してアセスメントテーブル１２に格納する。
【００１７】
次に本処理は、該アセスメントテーブル１２に格納した支援レベル及びアセスメント項目に応じた課題例をアセスメント項目課題例テーブル１３から読み出して図４の支援課題設定画面の如く表示し、支援担当職員が課題例を抽出する元となるアセスメント項目の支援レベルを利用者の障害の状況に応じて１から５までの「アセスメント支援レベル」として選択する（ステップ１０２）。具体的に説明すると支援課題抽出プログラム７は、設定されたアセスメント項目毎の支援レベル値を１件づつ読み込み（ステップ１０４）、「支援レベル」と「アセスメント支援レベル」の値を比較し（ステップ１０５）、「アセスメント支援レベル」の値の方が大きい場合、アセスメント項目課題例テーブル１３を読み込み、該当のアセスメント項目に対応する課題例を抽出する（ステップ１０６）。
【００１８】
前記アセスメントテーブル１２に格納されているデータは、図８のアセスメント項目課題例データ例に示す如く、アセスメント領域とアセスメント項目と課題例から構成されている。例えばアセスメントテーブル１２は、上位項目として「基本生活習慣」／「生活スキル」／「社会スキル」／「社会参加」／「コミュニケーションと対人関係」が設定され、例えば前記上位項目の「生活スキル」は、中位項目として「洗面」／「衣類の着脱」／「食事」／「排泄」／「移動（補装具使用可）」／「入浴」が設定され、前記中位項目の「洗面」には下位項目として「歯磨き」／「うがい」／「目やに」／「顔ふき」／「整髪・剃刀」／「入れ歯の手入れ」が設定されている。このようにアセスメントテーブル１２は、アセスメント項目毎に要素や関連性が強いと思われる具体的課題例を結びつけており、例えば前記上位項目「生活スキル」中の中位項目「自分の衣類を選択して干すことができますか」というアセスメント項目に対しては、「衣類の理解」「清潔の保持」「洗濯の仕方等」の課題例が結びついて設定されている。
【００１９】
次に本処理は支援課題抽出プログラム７が、課題例キーワードテーブル１４を読み込み、抽出した課題例を課題の上位概念であるキーワードに分類（ステップ１０８）する。この課題例キーワードテーブル１４に格納されているデータは、図９のキーワード−課題例データに示す如く、上位項目である計画領域と、中位項目であるキーワードと、下位目である課題例から構成されており、計画領域の下位概念であるキーワードに課題例を結びつけている。例えば、下位項目である「衣類の理解」「清潔の保持」「洗濯の仕方等」という具体的課題例は、それぞれ、「衣類の理解」及び「洗濯の仕方等」がキーワード「日常的スキル」に、「清潔の保持」がキーワード「清潔・おしゃれ」に分類されている。
【００２０】
次いで本処理による支援課題抽出プログラム７は、全てのアセスメント項目を読み込んだ結果を図４の支援課題設定画面の課題欄にキーワード毎に分類し、各課題例をカンマ区切りで表示する。支援担当職員は、キーワード毎に分類されて表示された課題例（図４では、例えば「入浴」に対する課題「入浴の準備，洗体，洗髪〜」）を参考にして、図５の課題設定例（「入浴」に対して課題「入浴での洗体、洗髪を自発的に行うことができない〜」）のように実際の課題を表示されたキーワードを利用／編集して入力し（ステップ１１１）、図６の個別支援計画画面で課題に対する支援目標、支援内容を入力することにより、図７の個別支援計画書を作成することができる（ステップ１１２）。
【００２１】
このように本実施形態による個別支援計画書作成システムは、支援担当職員が、アセスメントを実施し、支援課題抽出の際にアセスメント支援レベルを複数段階に設定し、課題例を基にした支援計画書作成時に有用なキーワードを自動的に例示することにより、支援担当職員が個別支援計画策定にあたって視点や方向性を整理でき、より客観的な個別支援計画を作成することができる。
【００２２】
次にケアマネジメントプロセスにおける利用者毎の実施状況を表示するまでの流れを図１０を参照して説明する。この利用者毎の実施状況の表示は、サービス提供者が利用者の最新のニーズを把握するためのものであり、利用者状況一覧画面を制御する利用者状況表示プログラム１０の処理手順を説明するものである。
【００２３】
まず、本実施形態のケアの対象となる知的障害者の場合、自ら訴えるのが困難な人たちが多いため、支援サービス提供者は、常に利用者の変化に注意し、最新のニーズの把握を心掛けなければならない。よって、個別支援計画は、何ヶ月かを単位として見直しを行い、１年を単位として再度アセスメントを実施し、個別支援計画全体の変更を行うのが望ましいと考えられている。このプロセスを維持するため、アセスメント／個別支援計画／モニタリングのケアマネジメントプロセスの流れにおいて、各プロセスの最新の実施日を利用者毎に一覧形式で表示し、各プロセスの次の実施時期にアラームを表示する処理として次の各ステップを実行することが好ましい。
【００２４】
本処理は、アセスメント／個別支援計画／モニタリングテーブルから作成日が最新であるデータを取得し（ステップ２０１）、利用者毎に該当データの作成日を表示し（ステップ２０３）、次に個別支援計画データに保持している計画実施期間を取得する（ステップ２０５）。前記計画実施期間とは、設定した個別支援計画を変更することなく、実施する期間のことであり、本システムでは、実施日から１年間を設定する。この計画実施期間は、該当する利用者の状態の変化等に応じて、支援担当職員が変更することが可能である。
【００２５】
次いで本処理は、この計画実施期間の終了予定日と基準日（システム日付）を比較し（ステップ２０５）、基準日（システム日付：本コンピュータ０に含まれる持つシステム時計の日付）が計画実施期間の終了予定日を超えている場合、該当利用者の「アセスメント」欄に「再アセスメント」と表示し（ステップ２０６）、次いで個別支援計画の最新の作成日とモニタリングの最新の作成日を比較し（ステップ２０７）、個別支援計画の作成日の方が新しい場合、個別支援計画データのモニタリング時期を取得する（ステップ２０９）。このモニタリング時期とは個別支援計画作成時に指定するものであり、個別支援計画に沿って支援を実施し且つモニタリングを行うまでの期間（月単位で指定）のことであり、一般的には、３ヶ月もしくは６ヶ月単位が望ましいと考えられている。
【００２６】
次いで本処理は、個別支援計画作成日とモニタリング時期を足した日付と基準日（システム日付）を比較し（ステップ２０９）、個別支援計画作成日とモニタリング時期を足した日付が基準日（システム日付）を超えている場合、該当利用者の「モニタリング」欄に「実施時期」と表示する（ステップ２１０）。
【００２７】
前記ステップ２０９においてモニタリングの作成日が個別支援計画の作成日より新しいと判定した場合、本処理はモニタリングデータの計画区分を取得する（ステップ２１１）。この計画区分とは、モニタリングを行った際に、個別支援計画の内容を見直すか、個別支援計画の内容はそのままで継続して支援を続けるかを指定するものである。
【００２８】
本処理は、ステップ２１１によって取得した計画区分が「計画見直し」である場合、該当利用者の「個別支援計画」欄に「計画見直し」と表示し（ステップ２１３）、計画区分が「継続」である場合、モニタリングデータの次回モニタリング時期を取得する（ステップ２１４）。この次回モニタリング時期とは、モニタリング実施時に指定するものであり、現在の個別支援計画に基づいて、継続して支援を行い、次のモニタリングを行うまでの期間（月単位で指定）のことである。
【００２９】
更に本処理は、モニタリング作成日と次回モニタリング時期を足した日付と基準日（システム日付）を比較し（ステップ２１５）、モニタリング作成日と次回モニタリング時期を足した日付が基準日（システム日付）を超えている場合、該当利用者の「モニタリング」欄に「実施時期」と表示する（ステップ２１６）。具体的には図１０の利用者状況一覧画面では、参照したいデータの項目をダブルクリックすることにより、該当利用者の該当プロセスの該当データを表示した画面を起動することが可能である。例えば、図１０のうち、利用者氏名：「福祉花子」、プロセス：「アセスメント」、表示内容：「平成１６年４月１０日」の項目（ステップ３０１）をダブルクリックした場合、図６のアセスメント画面が利用者氏名：「福祉花子」、作成年月日：「平成１６年４月１０日」のデータが表示された状態で起動する。また、例えば、図１０のうち、利用者氏名：「福祉花子」、プロセス：「モニタリング」、表示内容：「実施時期」の項目（ステップ３０２）をダブルクリックした場合、図１２のモニタリング画面が利用者氏名：「福祉花子」の新規入力状態で起動する。これにより、支援担当職員は、参照したい情報を素早く参照でき、入力を行いたい画面が的確に起動できるため、事務作業を軽減することができる。
【００３０】
このように本実施形態においては、アセスメントからモニタリングまでの各プロセスの最新の実施日を利用者毎に一覧形式で表示し、各プロセスの次の実施時期にアラームを表示することにより、適切な時期に、利用者の状態把握、サービス提供量・質の見直しが図れ、より適切なサービスを提供することができる。
【００３１】
この様に本実施形態によれば、利用者に対する個別支援計画書を作成する際、アセスメント項目に対して５段階の支援レベルを評価した結果から、支援レベルがある設定レベル以下であったアセスメント項目に対応づいた課題例を抽出するアセスメント項目課題例抽出手段と、前記アセスメント項目課題例抽出手段により抽出された課題例と課題の上位項目であるキーワードとを対応づける課題例キーワード抽出手段と、前記課題例キーワード抽出手段により抽出された課題例をキーワード毎に分類して表示する仕組みを提供することにより、アセスメントから個別支援計画の作成までを客観的にかつ効率的に行うことができる。また、アセスメント／個別支援計画／モニタリングまでのケアマネジメントプロセスの一連の流れにおいて、各プロセスの最新の実施日を利用者毎に一覧形式で表示し、各プロセスの次の実施時期にアラームを表示することにより、適切な時期に利用者の状態把握／サービス提供量・質の見直しを図ることができ、より適切なサービスを提供することができる。
【００３２】
尚、本実施形態ではスタンドアロン型のコンピュータ０により個別支援計画システムを構成する例を説明したが、本発明はこれに限られるものではく、１台のコンピュータにデータ部５を配置し、ＬＡＮ接続された複数のコンピュータでデータ部５を共有しても良い。
【図面の簡単な説明】
【００３３】
【図１】本発明による個別支援計画書＋システム構成を示す図。
【図２】アセスメントから個別支援計画を作成するまでの流れを示す図。
【図３】アセスメントシート画面例を示す図。
【図４】支援課題設定画面例（課題設定前）を示す図。
【図５】支援課題設定画面例（課題設定後）を示す図。
【図６】個別支援計画画面例を示す図。
【図７】個別支援計画書プレビュー画面例を示す図る。
【図８】アセスメント項目と課題例を対応づけたアセスメント項目−課題例データを示す図。
【図９】キーワードと課題例を対応づけたキーワード−課題例データを示す図。
【図１０】ケアマネジメントプロセスにおける利用者毎の実施状況を表示するまでの流れを示す図。
【図１１】利用者状況一覧画面例を示す図。
【図１２】モニタリング画面例を示す図。
【符号の説明】
【００３４】
０：コンピュータ、１：入力部、２：出力部、４：プログラム部、５：データ部、６：アセスメント実施プログラム、７：支援課題抽出プログラム、８：個別支援計画プログラム、９：モニタリングプログラム、１０：利用者状況表示プログラム、１１：アセスメント項目テーブル、１２：アセスメントテーブル、１３：アセスメント項目課題例テーブル、１４：課題例キーワードテーブル、１５：個別支援計画テーブル
１６：モニタリングテーブル。
【図１】
2006313405.tif 000003
【図２】
2006313405.tif 000004
【図３】
2006313405.tif 000005
【図４】
2006313405.tif 000006
【図５】
2006313405.tif 000007
【図６】
2006313405.tif 000008
【図７】
2006313405.tif 000009
【図８】
2006313405.tif 000010
【図９】
2006313405.tif 000011
【図１０】
2006313405.tif 000012
【図１１】
2006313405.tif 000013
【図１２】
2006313405.tif 000014